(57)【要約】【課題】本発明は、ガイドレールを便利に取り付けたり、取り外したりすることができるガイドレール固定装置を提供する。【解決手段】本発明のガイドレール固定装置は、ガイドレールを少なくとも１つの貫通孔を有する支持架に固定することに用いられ、前記ガイドレールにスライド可能に取り付けられ、前記支持架の対応する貫通孔に係合される少なくとも１つの係合柱が設けられた取付架と、前記取付架に取り付けられたロッキング装置と、を備え、前記取付架を前記ガイドレールに相対してスライドさせると、前記ガイドレールが前記ロッキング装置を支持するため、前記ロッキング装置が弾性変形して前記支持架を支持する。【選択図】図３
2010000359.tif 000002
【特許請求の範囲】
【請求項１】
少なくとも１つの貫通孔を有する支持架と、
前記支持架に固定されるガイドレールと、
前記ガイドレールにスライド可能に取り付けられ、且つ前記支持架の対応する貫通孔に係合される少なくとも１つの係合柱が設けられた取付架と、
前記取付架に取り付けられたロッキング装置と、
を備えてなるガイドレール固定装置であって、
前記取付架を前記ガイドレールに相対してスライドさせると、前記ガイドレールが前記ロッキング装置を支持するため、前記ロッキング装置が弾性変形して前記支持架を支持することを特徴とするガイドレール固定装置。
【請求項２】
前記ガイドレールには、一対の貫通孔が設けられ、
前記ロッキング装置は、ロッキング部材と、該ロッキング部材と前記取付架との間に位置し且つ前記ロッキング部材に当接する支持部材と、を備え、
前記ロッキング部材の第一端には、前記取付架に固定される取付部が形成され、前記ロッキング部材の第二端には、弾性押圧部が形成され、
前記支持部材の第一端が前記取付架に固定され、前記支持部材の第二端には、前記ガイドレールの前記一対の貫通孔を貫く一対の当接部が設けられ、
前記取付架を前記ガイドレールに相対してスライドさせると、前記支持部材の当接部が前記ガイドレールの貫通孔から退出して前記ガイドレールに当接し、前記支持部材の第二端が弾性変形して前記ロッキング部材を支え、前記ロッキング部材が弾性変形されることを特徴とする請求項１に記載のガイドレール固定装置。
【請求項３】
前記ガイドレールには、一対の貫通孔が設けられ、
前記ロッキング装置は、第一端には前記取付架に固定される取付部が形成され、且つ第二端には弾性押圧部が形成されるロッキング部材を備え、該ロッキング部材には、前記ガイドレールの一対の貫通孔を貫く一対の当接部が設けられ、
前記取付架を前記ガイドレールに相対してスライドさせると、前記ロッキング部材の当接部が前記ガイドレールの貫通孔から退出して前記ガイドレールに当接し、前記ロッキング部材が弾性変形されることを特徴とする請求項１に記載のガイドレール固定装置。
【請求項４】
前記ロッキング部材の取付部には、複数の固定孔が開設され、
前記取付架には、前記ロッキング部材の複数の固定孔に固定される複数の固定柱が設けられることを特徴とする請求項２または請求項３に記載のガイドレール固定装置。
【請求項５】
前記取付架には、ブロッキングプレートが設けられ、
前記係合柱は、前記ブロッキングプレートの側面に設けられ、且つ前記ガイドレールのスライド方向に沿って延在されることを特徴とする請求項２または請求項３に記載のガイドレール固定装置。
【請求項６】
前記ロッキング部材の弾性押圧部が前記ブロッキングプレートに近接し、
前記取付架における前記ブロッキングプレートの近傍には、前記ロッキング部材の弾性押圧部を貫かせる開口が設けられることを特徴とする請求項５に記載のガイドレール固定装置。
【請求項７】
前記ロッキング部材の取付部と弾性押圧部との間には、連接部が形成され、
前記連接部が前記ガイドレールに向かって曲げられており、前記ロッキング部材の弾性押圧部が前記取付架の前記開口を貫いて前記ガイドレールに当接することを特徴とする請求項６に記載のガイドレール固定装置。
【請求項８】
前記取付架における前記開口の上方には、前記ロッキング部材を貫かせ且つ該ロッキング部材の連接部に向かうアーチ部が設けられることを特徴とする請求項７に記載のガイドレール固定装置。
【請求項９】
前記ガイドレールには、ガイドスロットが設けられ、
スライドシートが前記ガイドスロットを貫いて前記取付架に固定され且つ前記ガイドスロットに沿ってスライドすることができることを特徴とする請求項１〜３のいずれか一項に記載のガイドレール固定装置。
【発明の詳細な説明】
【技術分野】
【０００１】
本発明は、ガイドレール固定装置に関するものである。
【背景技術】
【０００２】
ガイドレールは、広く利用される装置であって、引出し又は棚式サーバーラックなどのような相対運動している二つの部材を連接することに用いられる。
【０００３】
よく見かけるガイドレールは、三段式ガイドレールであって、第一ガイドレール、第二ガイドレール及び第三ガイドレールを備える。引出しを例に挙げると、第一ガイドレールは、キャビネットの支持架に付設され、第三ガイドレールは、引出しの側面に付設され、第二ガイドレールは、前記第一ガイドレールと前記第三ガイドレールとの間に連接されて前記引出しの活動範囲を伸ばし、且つ前記第三ガイドレール及び前記第二ガイドレールが前記第一ガイドレールの軸方向に沿って前記第一ガイドレールに対して相対的にスライド可能であるため、引出しが前記ガイドレールによってスライド式に開閉される。
【０００４】
サーバーにおいて、第一ガイドレール及び第三ガイドレールを別々にキャビネットの支持架及びサーバーケースに付設するために、複数のねじ及びドライバーなどの工具を必要とするため、ガイドレールの取付操作及び取り外し操作が複雑である。
【発明の概要】
【発明が解決しようとする課題】
【０００５】
本発明の目的は、上記の課題を解決し、ガイドレールを便利に取り付けたり、取り外したりすることができるガイドレール固定装置を提供することである。
【課題を解決するための手段】
【０００６】
前記目的を達成するため、本発明に係るガイドレール固定装置は、少なくとも１つの貫通孔を有する支持架と、前記支持架に固定されるガイドレールと、前記ガイドレールにスライド可能に取り付けられ、且つ前記支持架の対応する貫通孔に係合される少なくとも１つの係合柱が設けられた取付架と、前記取付架に取り付けられたロッキング装置と、を備え、前記取付架を前記ガイドレールに相対してスライドさせると、前記ガイドレールが前記ロッキング装置を支持するため、前記ロッキング装置が弾性変形して前記支持架を支持する。
【発明の効果】
【０００７】
本発明に係るガイドレール固定装置において、ガイドレールにスライド可能に取り付けられた取付架及び該取付架に取り付けられたロッキング装置によって、前記ガイドレールを前記取付架に相対してスライドさせて、ガイドレールを支持架に便利に取り付けたり取り外したりすることができる。
【図面の簡単な説明】
【０００８】
【図１】本発明の実施形態に係るガイドレール固定装置と支持架の立体分解図である。
【図２】本発明の実施形態に係るガイドレール固定装置と支持架の立体分解図である。
【図３】本発明の実施形態に係るガイドレール固定装置と支持架の立体組立図である。
【図４】本発明の実施形態に係るガイドレール固定装置のロック状態を示す図である。
【図５】本発明の実施形態に係るガイドレール固定装置のリリース状態を示す図である。
【発明を実施するための形態】
【０００９】
図１及び図２を参照すると、本発明の実施形態に係るガイドレール固定装置は、ガイドレール１００をキャビネットの支持架２００に固定することに用いられ、取付架１０、スライドシート２０及びロッキング装置５０を備える。
【００１０】
前記ガイドレール１００は、略「コ」字形状の断面を有し、側壁１０２及び該側壁１０２の上、下両辺からそれぞれ同一方向へ垂直方向に屈曲されて形成された２つのフランジ１０４を備える。前記側壁１０２における前記ガイドレール１００の一端に近接した箇所には、一対の貫通孔１０２２が設けられ、前記側壁１０２の中央部には、前記ガイドレール１００の長手方向に沿ってガイドスロット１０２４が設けられる。
【００１１】
前記支持架２００の上から下に至って複数の貫通孔２０２が開設される。
【００１２】
前記取付架１０は、略「コ」字形状の断面を有し、側壁１２と、該側壁１２の上、下両辺からそれぞれ同一方向へ垂直方向に屈曲されて形成された２つのフランジ１４を備える。前記側壁１２において、その一端からその長手方向に沿って順序に一対の固定柱１２１、一対の係合孔１２２、アーチ部１２３、ブロッキングプレート１２４及び一対の取付孔１２８が設けられる。前記一対の固定柱１２１は、前記側壁１２の外側面から突出される。前記アーチ部１２３は、前記側壁１２を外側へスタンピングして形成される。前記側壁１２において、前記係アーチ部１２３の下方及び前記アーチ部１２３と前記ブロッキングプレート１２４との間に開口１２５が開設される。前記ブロッキングプレート１２４は、前記側壁１２の外側面に対して垂直に設けられ、前記ブロッキングプレート１２４における前記アーチ部１２３に向かう片側には、前記ガイドレール１００のスライド方向に沿って延在される一対の係合柱１２６が設けられる。
【００１３】
前記スライドシート２０は、略「コ」字形状の断面を有するスライド部２２及び該スライド部２２の２つの側辺からそれぞれ相反する方向へ延在される２つのフランジ２４を備える。前記スライド部２２の底部に一対の固定孔２２１が設けられる。
【００１４】
本実施形態において、前記ロッキング装置５０は、ロッキング部材３０及び支持部材４０を備える。前記ロッキング部材３０は、略「Ｈ」字形状の金属弾性シートであって、弾性押圧部３２と、取付部３４と、前記弾性押圧部３２及び前記取付部３４を連接する連接部３６と、を備える。前記取付部３４には、一対の固定孔３４２が設けられる。前記連接部３６は、片側に向かって僅かに曲げられた形状である。前記支持部材４０は、本体４２及び該本体４２の両端から延在される２つのアーム４４を備える。前記本体４２における前記ガイドレール１０に向かう片側には、一対の台形の当接部４２２が設けられる。各々のアーム４４の前記本体４２から離れている一端における前記ガイドレール１０に向かう片側には、係合部４４２が設けられ、各々のアーム４４における前記ガイドレール１０に背向する側面の内側縁には、ガイド部４４４が設けられる。
【００１５】
図１〜図３を参照すると、前記ガイドレール固定装置を組み立てる時、前記支持部材４０の一対の係合部４４２を前記取付架１０の一対の係合孔１２２に係合すると、前記支持部材４０の一対の当接部４２２が前記取付架１０の開口１２５を貫く。前記ロッキング部材３０の弾性押圧部３２は、前記取付架１０のアーチ部１２３を貫いて、前記アーチ部１２３と前記ブロッキングプレート１２４との間に位置される。前記取付架１０の一対の固定柱１２１を前記ロッキング部材３０の取付部３４の一対の固定孔３４２に固定し、前記ロッキング部材３０の連接部３６が前記支持部材４０の２つのアーム４４のガイド部４４４との間に挟まり、且つ前記支持部材４０の本体４２に当接し、前記ロッキング部材３０の弾性押圧部３２が前記取付架１０の開口１２５を貫く。
【００１６】
前記取付架１０の一対の取付孔１２８が前記ガイドレール１００のガイドスロット１０２４に対応するように、前記取付架１０を前記ガイドレール１００に取り付けて、前記ガイドレール１００の側壁１０２が前記取付架１０の側壁１２に当接し、前記ガイドレール１００の２つのフランジ１０４が別々に前記取付架１０の２つのフランジ１４に当接する。前記スライドシート２０のスライド部２２が前記ガイドレール１００のガイドスロット１０２４を貫いて前記取付架１０の側壁１２に当接し、且つ前記スライドシート２０の一対の固定孔２２１を前記取付架１０の一対の取付孔１２８に対応させる。一対のリベットによって、前記スライドシート２０の一対の固定孔２２１を貫いて前記取付架１０の一対の取付孔１２８に固定させて、前記スライドシート２０の２つのフランジ２４が前記ガイドレール１００の側壁１０２の内側面に当接し、前記取付架１０を前記ガイドレール１００にスライド可能に取り付ける。前記ガイドレール１００に相対して前記取付架１０をスライドさせて、前記支持部材４０の一対の当接部４２２を前記ガイドレール１００の一対の貫通孔１０２２に貫かせ、前記支持部材４０の本体４２が前記取付架１０に当接し、前記ロッキング部材３０の弾性押圧部３２が前記ガイドレール１００に当接する。
【００１７】
図２〜図４を参照すると、前記ガイドレール１００を前記支持架２００に取り付ける時、前記ガイドレール１００及び前記取付架１０を移動して、前記取付架１０の開口１２５を前記支持架２００に対応させ、且つ前記取付架１０のブロッキングプレート１２４の係合柱１２６を前記支持架２００の対応する貫通孔２０２に貫かせる。この時、前記支持架２００と前記ガイドレール１００の側壁１０２との間に隙間９０が形成される。前記取付架１０に相対して前記ガイドレール１００を右へ移動して、前記支持部材４０の一対の当接部４２２が前記ガイドレール１００の一対の貫通孔１０２２から退出して前記ガイドレール１００の側壁１０２に当接し、前記支持部材４０の本体４２が前記ロッキング部材３０の連接部３６を支えて、前記ロッキング部材３０が前記ガイドレール１００から離れる方向へ弾性変形される。前記弾性押圧部３２の端部が前記支持架２００を支えるため、前記係合柱１２６が前記支持架２００の貫通孔２０２から退出するように前記取付架１０を移動することができなく、従って前記ガイドレール１００を前記支持架２００に固定する。前記取付架１０のアーチ部１２３は、前記ロッキング部材３０の連接部３６を当止するので、前記ロッキング部材３０があまり変形して損害されることを免れる。
【００１８】
図２〜図５を参照すると、前記支持架２００から前記ガイドレール１００を取り外す時、前記取付架１０に相対して前記ガイドレール１００を左へ移動して、前記支持部材４０の一対の当接部４２２が前記ガイドレール１００の側壁１０２に沿ってスライディングし且つ前記ガイドレール１００の一対の貫通孔１０２２を貫く。この時、前記支持部材４０の本体４２が前記ロッキング部材３０の連接部３６を支えなく、前記ロッキング部材３０が弾性回復されて、前記ロッキング部材３０の弾性押圧部３２が前記取付架１０の開口１２５を貫いて前記ガイドレール１００の側壁１０２に当接し、従って前記弾性押圧部３２の端部が前記支持架２００を支えない。前記ガイドレール１００を移動して、前記取付架１０の係合柱１２６を前記支持架２００の貫通孔２０２から退出させる。
【００１９】
本発明の他の実施形態に係わるガイドレール固定装置において、前記ロッキング装置５０は、ただロッキング部材３０を備え、該ロッキング部材３０に当接部４２２が設けられ、該当接部４２２が前記取付架１０の開口１２５を貫いて前記ガイドレール１００の側壁１０２に当接する時、前記ロッキング部材３０の弾性押圧部３２が前記支持架２００を支え、前記当接部４２２が前記ガイドレール１００の貫通孔１０２２を貫く時、前記ロッキング部材３０の弾性押圧部３２が前記支持架２００から離れる。
【００２０】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００２１】
１０  取付架
１２，１０２  側壁
１４，２４，１０４  フランジ
２０  スライドシート
２２  スライド部
３０  ロッキング部材
３２  弾性押圧部
３４  取付部
３６  連接部
４０  支持部材
４２  本体
４４  アーム
５０  ロッキング装置
９０  隙間
１００  ガイドレール
１２１  固定柱
１２２  係合孔
１２３  アーチ部
１２４  ブロッキングプレート
１２５  開口
１２６  係合柱
１２８  取付孔
２００  支持架
２２１，３４２  固定孔
２０２，１０２２  貫通孔
４２２  当接部
４４２  係合部
４４４  ガイド部
【図１】
2010000359.tif 000003
【図２】
2010000359.tif 000004
【図３】
2010000359.tif 000005
【図４】
2010000359.tif 000006
【図５】
2010000359.tif 000007